(57)【要約】【課題】本来の同期信号のタイミング以外に生じる不要なパルスを除去すると共に、最適な同期分離の閾値で同期信号の分離を可能とする同期分離回路を提供する。【解決手段】基準電圧６，７，８は、同期信号の振幅をＶｓ、映像信号１０のペデスタルレベルから１００％白レベルまでの振幅をＶｗｈとすると、基準電圧６＜基準電圧７＜（基準電圧６＋Ｖｓ）、（基準電圧６＋Ｖｓ）＜基準電圧８＜（基準電圧６＋Ｖｓ＋Ｖｗｈ）に設定される。同期分離回路は、電圧比較器２の出力１２として、クランプ回路１の出力１１が基準電圧７より大きい場合にはロー、小さい場合にはハイを出力し、マスク信号発生回路４の出力１５として、電圧比較器３の出力１３の立上りから所定期間ロー、他の期間はハイを出力する。出力１２と出力１５とを論理積回路５に入力し、映像信号１０の立下りが基準電圧８と交差する点から所定の期間、論理積回路５の同期分離出力をマスクする。【選択図】図１
2006128895.tif 000002
【特許請求の範囲】
【請求項１】
映像信号のシンクチップレベルを第１の基準電圧にクランプするシンクチップクランプ回路と、第２の基準電圧を前記シンクチップクランプ回路の出力と比較する第１の電圧比較器と、第３の基準電圧を前記シンクチップクランプ回路の出力と比較する第２の電圧比較器と、前記第２の電圧比較器の出力から所定のパルス幅のマスク信号を発生するマスク信号発生回路と、前記第１の電圧比較器の出力と前記マスク信号発生回路の出力との論理積を演算する論理積回路とを備え、前記第１の基準電圧、第２の基準電圧、第３の基準電圧は、同期信号の振幅をＶｓ、前記映像信号のペデスタルレベルから１００パーセント白レベルまでの振幅をＶｗｈとすると、
第１の基準電圧＜第２の基準電圧＜（第１の基準電圧＋Ｖｓ）、
（第１の基準電圧＋Ｖｓ）＜第３の基準電圧＜（第１の基準電圧＋Ｖｓ＋Ｖｗｈ）、
という関係に設定されていることを特徴とする同期分離回路。
【請求項２】
請求項１に記載の同期分離回路において、前記マスク信号発生回路は、前記第２の電圧比較器の出力の立ち上がりから所定の期間ローレベルを出力し、他の期間はハイレベルを出力し、前記マスク信号発生回路の出力と前記第１の電圧比較器の出力とを前記論理積回路に入力し、該論理積回路の出力を同期分離出力する際に、前記映像信号の立下りが前記第３の基準電圧と交差する点から所定の期間、前記同期分離出力をマスクすることを特徴とする同期分離回路。
【請求項３】
請求項１又は２に記載の同期分離回路において、前記第１の電圧比較器は、前記シンクチップクランプ回路の出力が前記第２の基準電圧より大きい場合、ローレベルを出力し、前記シンクチップクランプ回路の出力が前記第２の基準電圧より小さい場合、ハイレベルを出力し、前記第２の電圧比較器は、前記シンクチップクランプ回路の出力が前記第３の基準電圧より大きい場合、ローレベルを出力し、前記シンクチップクランプ回路の出力が前記第３の基準電圧より小さい場合、ハイレベルを出力することを特徴とする同期分離回路。
【請求項４】
請求項１乃至３のいずれか１に記載の同期分離回路において、前記第１の電圧比較器は、前記第２の基準電圧を前記映像信号のペデスタルレベル寄りに設定していることを特徴とする同期分離回路。
【発明の詳細な説明】
【技術分野】
【０００１】
本発明は、同期分離回路、より詳細には、例えば、テレビジョン受信機などの映像表示装置に用いられ、映像信号から同期信号を分離するための同期分離回路に関する。
【背景技術】
【０００２】
従来、ハイビジョン方式の同期信号は３値同期信号が用いられており、例えば、非特許文献１などに示されているように、３値同期信号波形とペデスタルレベルのクロス点を検出することにより、伝送路の特性による波形ひずみの影響を受けにくい正確な同期信号の分離が可能となっている。
【０００３】
図３は、従来の同期分離回路に与えられる映像信号の例を示す波形図である。３値同期信号波形とペデスタルレベルのクロス点を検出するためには一旦、同期信号の負極性部分を分離し、ペデスタルクランプのためのクランプパルス、マスク信号を発生する必要があることから、標準方式と、ハイビジョン方式共用の同期分離回路が用いられている。しかし、標準方式とハイビジョン方式とで同期信号に対する同期分離の閾値が同じ値に設定されており、標準方式の同期信号に対して比較的低い位置に設定されているので、波形のなまりが大きいと、図３（Ａ）に示すように分離した同期信号（破線で示す波形）が実際のものよりも大きく遅れ、また、図３（Ｂ）に示すように、例えば、映像信号が全白から全黒に急変すると同期分離の閾値に対する同期信号バイアスの変動が生じ、同期分離出力位相の変動が大きくなり、画面ゆれや同期流れといった画質の劣化現象が発生していた。
【０００４】
上記のような問題に対処するために、例えば、特許文献１には、水平周波数が異なる複数の走査方式の複合映像信号に対して自動的に最適な同期分離レベルで同期信号の分離を行えるようにしたものが開示されている。
【０００５】
図４は、従来（特許文献１）の同期分離回路の構成例を示すブロック図で、図中、１０１はクランプ回路、１０２は電圧比較器、１０３は周波数判別回路、１０７は水平同期分離部、１０８は垂直同期分離部を示す。映像信号１１６は、容量１１５を介してクランプ回路１０１に与えられる。クランプ回路１０１は映像信号１１６のシンクチップをクランプ電圧１１２にクランプする。クランプ回路１０１の出力１１７は電圧比較器１０２の反転入力に接続され、第２の基準電圧１１４と比較され同期信号を分離する。電圧比較器１０２の出力１１８は水平同期分離部１０７、垂直同期分離部１０８に接続され、水平同期信号１０９、垂直同期信号１１０に分離される。
【０００６】
映像信号１１６が標準信号の場合、周波数判別回路１０３の出力１１１はハイレベルとなり、トランジスタ１０４はオン状態であるからクランプ電圧１１２は第１の基準電圧１１３を抵抗１０５と抵抗１０６で分割した電圧となり、映像信号がハイビジョン信号の場合、周波数判別回路１０３の出力１１１はローレベルとなり、トランジスタ１０４はオフ状態であるから、クランプ電圧１１２は第１の基準電圧１１３と等しくなる。したがって、同期信号に対する第２の基準電圧１１４は、３値同期の場合、シンクチップ寄りに設定され、２値同期の場合、ペデスタルレベル寄りに設定されることになる。
【０００７】
図３（Ｃ）、図３（Ｄ）に示すように、同期信号の立下りの傾きはシンクチップ寄りに比べ、ペデスタルレベル寄りの方が大きく、波形なまりの影響を受けにくいため、同期信号に対する第２の基準電圧１１４をペデスタルレベル寄りに設定することにより、波形のなまりによる分離した水平同期信号１０９の遅れを軽減することができる。
【特許文献１】特開２０００−１３８８４１号公報
【非特許文献１】日本放送協会編，「ハイビジョン技術」，日本放送出版協会，４０頁〜４３頁
【発明の開示】
【発明が解決しようとする課題】
【０００８】
図５は、図４に示した回路各部の信号波形を示す信号波形図である。上述した従来の同期分離回路では、同期信号に対する第２の基準電圧１１４をペデスタルレベル寄りに設定するために、図５（Ａ）に示すような波形ひずみの無い映像信号の場合には問題ないが、映像信号発生装置によっては映像信号の輪郭を強調するためにピーキングを施している場合がある。図５（Ｂ）に示すように、映像信号にピーキングによるアンダーシュートが生じた映像信号が入力された場合、電圧比較器１０２の出力１１８は図５（Ｃ）に示すように、本来とは異なるタイミングのパルスが混在し、映像に乱れを生じてしまう現象が発生していた。
【０００９】
本発明は、上述のごとき実情に鑑みてなされたものであり、本来の同期信号のタイミング以外に生じる不要なパルスを除去すると共に、最適な同期分離の閾値で同期信号の分離を可能とする同期分離回路を提供すること、を目的としてなされたものである。
【課題を解決するための手段】
【００１０】
上記課題を解決するために、本発明の第１の技術手段は、映像信号のシンクチップレベルを第１の基準電圧にクランプするシンクチップクランプ回路と、第２の基準電圧を前記シンクチップクランプ回路の出力と比較する第１の電圧比較器と、第３の基準電圧を前記シンクチップクランプ回路の出力と比較する第２の電圧比較器と、前記第２の電圧比較器の出力から所定のパルス幅のマスク信号を発生するマスク信号発生回路と、前記第１の電圧比較器の出力と前記マスク信号発生回路の出力との論理積を演算する論理積回路とを備え、前記第１の基準電圧、第２の基準電圧、第３の基準電圧は、同期信号の振幅をＶｓ、前記映像信号のペデスタルレベルから１００パーセント白レベルまでの振幅をＶｗｈとすると、第１の基準電圧＜第２の基準電圧＜（第１の基準電圧＋Ｖｓ）、（第１の基準電圧＋Ｖｓ）＜第３の基準電圧＜（第１の基準電圧＋Ｖｓ＋Ｖｗｈ）、という関係に設定されていることを特徴としたものである。
【００１１】
第２の技術手段は、第１の技術手段において、前記マスク信号発生回路は、前記第２の電圧比較器の出力の立ち上がりから所定の期間ローレベルを出力し、他の期間はハイレベルを出力し、前記マスク信号発生回路の出力と前記第１の電圧比較器の出力とを前記論理積回路に入力し、該論理積回路の出力を同期分離出力する際に、前記映像信号の立下りが前記第３の基準電圧と交差する点から所定の期間、前記同期分離出力をマスクすることを特徴としたものである。
【００１２】
第３の技術手段は、第１又は第２の技術手段において、前記第１の電圧比較器は、前記シンクチップクランプ回路の出力が前記第２の基準電圧より大きい場合、ローレベルを出力し、前記シンクチップクランプ回路の出力が前記第２の基準電圧より小さい場合、ハイレベルを出力し、前記第２の電圧比較器は、前記シンクチップクランプ回路の出力が前記第３の基準電圧より大きい場合、ローレベルを出力し、前記シンクチップクランプ回路の出力が前記第３の基準電圧より小さい場合、ハイレベルを出力することを特徴としたものである。
【００１３】
第４の技術手段は、第１乃至第３のいずれか１の技術手段において、前記第１の電圧比較器は、前記第２の基準電圧を前記映像信号のペデスタルレベル寄りに設定していることを特徴としたものである。
【発明の効果】
【００１４】
本発明によれば、映像信号のアンダーシュートによる本来の同期信号のタイミング以外に生じる不要なパルスを除去することができ、最適な同期分離の閾値で同期信号の分離を行うことができるので、伝送系の特性による同期信号波形のなまり、画面ゆれや同期流れ、といった画質の劣化現象を低減することが可能となる。
【発明を実施するための最良の形態】
【００１５】
図１は、本発明の一実施形態に係る同期分離回路の構成例を示すブロック図で、図中、１はクランプ回路、２は第１の電圧比較器、３は第２の電圧比較器、４はマスク信号発生回路、５は論理積回路を示す。また、マスク信号発生回路４は、抵抗４１，抵抗４３，容量４２，抵抗４４，及びトランジスタ４５から構成されている。図２は、図１に示した回路各部の信号波形の一例を示す信号波形図である。以下、図１及び図２に沿って本発明の同期分離回路の水平同期分離動作の一例について説明する。尚、本発明の同期分離回路は、標準方式（ＮＴＳＣ方式、ＰＡＬ方式など）、ハイビジョン方式の両方のテレビジョン放送に対応したテレビジョン受信機などの映像表示装置に適用することができる。
【００１６】
図１において、映像信号１０は、容量９を介してクランプ回路１に与えられる。クランプ回路１は映像信号１０のシンクチップを第１の基準電圧６にクランプする。クランプ回路１の出力１１は第１の電圧比較器２の反転入力、第２の電圧比較器３の反転入力に与えられ、第２の基準電圧７は第１の電圧比較器２の非反転入力に接続され、第３の基準電圧８は第２の電圧比較器３の非反転入力に接続される。第１の基準電圧６、第２の基準電圧７、及び第３の基準電圧８は、同期信号の振幅をＶｓ、映像信号１０のペデスタルレベルから１００パーセント白レベル（基準白レベル）までの振幅をＶｗｈとすると、
第１の基準電圧＜第２の基準電圧＜（第１の基準電圧＋Ｖｓ）  ・・・式（１）
（第１の基準電圧＋Ｖｓ）＜第３の基準電圧＜（第１の基準電圧＋Ｖｓ＋Ｖｗｈ）
・・・式（２）
という関係に設定されている。
【００１７】
第１の電圧比較器２は、クランプ回路１の出力１１と第２の基準電圧７とを比較し、
クランプ回路１の出力１１＞第２の基準電圧７            ・・・式（３）
のときローレベルを、
クランプ回路１の出力１１＜第２の基準電圧７            ・・・式（４）
のときハイレベルを出力する。これが出力１２となる。
【００１８】
次に、第２の電圧比較器３は、クランプ回路１の出力１１と第３の基準電圧８とを比較し、
クランプ回路１の出力１１＞第３の基準電圧８          ・・・式（５）
のときローレベルを、
クランプ回路１の出力１１＜第３の基準電圧８          ・・・式（６）
のときハイレベルを出力する。これが出力１３となる。
【００１９】
映像信号１０は、図２（Ａ）に示すようなアンダーシュート（図中、Ｘ部）を生じているとすると、そのレベルが第２の基準電圧７以下になると第１の電圧比較器２の出力１２は、図２（Ｂ）に示すように本来の同期信号ではないタイミングに不要なパルスが混在してしまう。
【００２０】
また、第２の電圧比較器３の出力１３はマスク信号発生回路４へ供給される。このときの出力１３の波形を図２（Ｃ）に示す。マスク信号発生回路４は、抵抗４１，抵抗４３，容量４２，抵抗４４，及びトランジスタ４５から構成されており、第２の電圧比較器３の出力１３が立ち上がるとトランジスタ４５のベース電流１４は抵抗４１，容量４２の時定数により、図２（Ｄ）に示すような波形となる。マスク信号発生回路４の出力１５となるトランジスタ４５のコレクタ電圧波形は、図２（Ｅ）に示すように、ベース電流１４が流れている期間ローレベルとなり、ベース電流１４が流れていない期間ハイレベルとなる。
【００２１】
第１の電圧比較器２の出力１２と、マスク信号発生回路４の出力１５とは論理積回路５に入力される。論理積回路５において、第１の電圧比較器２の出力１２とマスク信号発生回路４の出力１５との論理積が演算され、論理積回路５の出力１６を同期分離出力する際に、映像信号１０の立下りが第３の基準電圧８と交差する点から所定の期間（すなわち、上記ベース電流１４が流れているローレベルの期間）、同期分離出力をマスクする。この結果、論理積回路５の出力１６は、図２（Ｆ）に示すように、映像信号のアンダーシュートによる本来の同期信号ではないタイミングに生じた不要パルスが取り除かれた同期分離出力となる。
【００２２】
本発明によれば、映像信号のアンダーシュートによる本来の同期信号のタイミング以外に生じる不要なパルスを除去することができ、最適な同期分離の閾値で同期信号の分離を行うことができるので、伝送系の特性による同期信号波形のなまり、画面ゆれや同期流れ、といった画質の劣化現象を低減することが可能となる。
【図面の簡単な説明】
【００２３】
【図１】本発明の一実施形態に係る同期分離回路の構成例を示すブロック図である。
【図２】図１に示した回路各部の信号波形の一例を示す信号波形図である。
【図３】従来の同期分離回路に与えられる映像信号の例を示す波形図である。
【図４】従来（特許文献１）の同期分離回路の構成例を示すブロック図である。
【図５】図４に示した回路各部の信号波形を示す信号波形図である。
【符号の説明】
【００２４】
１，１０１…クランプ回路、２，３，１０２…電圧比較器、４…マスク信号発生回路、５…論理積回路、６，７，８，１１３，１１４…基準電圧、１０，１１６…映像信号、１１，１２，１３，１５，１６，１１１，１１７，１１８…出力、９，４２，１１５…容量、１４…ベース電流、４１，４３，４４，１０５，１０６…抵抗、４５，１０４…トランジスタ、１０３…周波数判別回路、１０７…水平同期分離部、１０８…垂直同期分離部、１０９…水平同期信号、１１０…垂直同期信号、１１２…クランプ電圧。
【図１】
2006128895.tif 000003
【図２】
2006128895.tif 000004
【図３】
2006128895.tif 000005
【図４】
2006128895.tif 000006
【図５】
2006128895.tif 000007